(57)【要約】【課題】証紙等の保護を図るとともに、管理上の利便性を図ることのできる遊技機を提供する。【解決手段】パチンコ機１０は、遊技盤が取付けられる内枠１２と、内枠１２の後面に取付けられ、特定情報を有する証紙が貼着された証紙プレートと、証紙プレートに貼着された証紙を被覆する保護カバーと、保護カバーを内枠１２に固定する破断ねじとを備えている。保護カバー及び内枠１２は、破断ねじが螺着されるカバー側固定部及び取付側固定部を備えている。また、内枠１２には、破断することによって、取付側固定部を内枠１２から切り離すことのできる破断部が設けられている。当該破断部の後側はカバー側固定部によって覆われており、内枠１２の前面側からのみ破断部への接触が許容される。破断部を破断することで、保護カバーを内枠１２から取外すことが可能になり、保護カバーを内枠１２から取外すことで、証紙プレートを内枠１２から取外すことが可能になる。【選択図】      図１
2010240027.tif 000002
【特許請求の範囲】
【請求項１】
固定枠に対し一側部を中心に開閉可能に支持され、遊技盤が取付けられる遊技盤取付枠と、
特定情報を有する証紙部材と、
前記遊技盤取付枠又は前記遊技盤において形成された被取付部に取付けられ、前記証紙部材が付着されたベース部材と、
透視性を有するとともに、前記被取付部に取付けられて、前記ベース部材に付着された前記証紙部材を被覆するカバー部材と、
前記ベース部材及び前記カバー部材とは別体として構成され、前記被取付部に取付けられた前記ベース部材の取外しを防止する固定手段とを備え、
前記カバー部材、前記固定手段、及び、前記被取付部が形成される前記遊技盤取付枠又は前記遊技盤のうち少なくとも１つには、所定の作業を行うことによって、前記ベース部材を前記被取付部から取外し可能となる解除作業部が形成され、
前記解除作業部は、前記被取付部が形成された前記遊技盤取付枠又は前記遊技盤の前面及び後面のうち、前記証紙部材の取付け及び取外し作業を行う面とは反対面側に設けられていることを特徴とする遊技機。
【請求項２】
前記遊技盤取付枠の前面側において前記固定枠又は前記遊技盤取付枠に開閉可能に支持され、閉鎖状態において前記遊技盤取付枠の略全域を覆う前面扉と、
前記遊技盤取付枠及び前記前面扉の施錠及び解錠を行う施錠装置とを備え、
前記施錠装置に対し第１の解錠操作を行うことによって前記遊技盤取付枠を解錠することができ、
前記施錠装置に対し第２の解錠操作を行うことによってのみ、前記前面扉を解錠することができ、前記遊技盤取付枠の前面及び前記遊技盤の後面への接触が許容されることを特徴とする請求項１に記載の遊技機。
【請求項３】
前記カバー部材、前記固定手段、及び、前記被取付部が形成される前記遊技盤取付枠又は前記遊技盤のうち少なくとも１つには、破損させることによって、前記ベース部材を前記被取付部から取外し可能となる前記解除作業部が形成されていることを特徴とする請求項１又は２に記載の遊技機。
【発明の詳細な説明】
【技術分野】
【０００１】
本発明は、パチンコ機等の遊技機に関するものである。
【背景技術】
【０００２】
パチンコ機等の遊技機には、各種遊技機管理団体が発行する証紙等が貼着されている。この証紙には、前記管理団体の検査を受けたことを示す情報や、前記管理団体が付した管理番号、企業名、遊技機の機種番号や製造番号、製造年度、これらをコード化したＱＲコード（登録商標）等のコード情報などが記されている。さらに、近年では、部品交換などリサイクル性の観点から、遊技盤、当該遊技盤が取付けられる遊技盤取付枠、当該遊技盤取付枠の背面側に搭載される制御機器などに対し個別に専用の証紙等が貼着されている。そして、かかる証紙等に記された管理番号等を遊技機メーカー及び遊技ホールの双方で記録・管理することによって、遊技機の出荷先等が厳格に管理されている（例えば、特許文献１参照。）。特に、各種遊技機管理団体が発行する証紙に関しては、出荷する遊技機の台数を申請することでその分の証紙が発行される。さらに、申請した数だけ発行された証紙には、連続した異なる管理番号が付されている。
【先行技術文献】
【特許文献】
【０００３】
【特許文献１】特開２０００−１３５３６０号公報
【発明の概要】
【発明が解決しようとする課題】
【０００４】
ところで、製造工場で証紙が貼着されてから、遊技ホールに納入されて稼働するまでの間に遊技機が故障したり、故障が発見されたりした場合、証紙が貼着された部材（遊技盤や遊技盤取付枠等）を交換する必要が生じる場合もある。この場合、証紙が貼着された部材を交換することによって、別途の証紙を用意する必要が生じる上、遊技ホールに納入される遊技機の証紙に付された管理番号等が変わってしまうため、遊技機の管理が不便になってしまうおそれがある。
【０００５】
尚、証紙が貼着された部材の交換の必要が生じる場合としては、証紙が貼着された部材自体が損傷した場合だけでなく、証紙が貼着された部材に取付けられる遊技機の構成部材が故障又は損傷し、損傷部位の特定が困難な場合や、故障部位だけの交換が困難又は不可能である場合も含まれる。
【０００６】
また、例えば、遊技盤取付枠に関しては、その前面側が前面扉等によって覆われ、その背面側には制御機器等が搭載されるため、証紙等は、制御機器等の搭載されていない背面下部のように比較的見やすい位置に貼着される。
【０００７】
しかしながら、遊技盤取付枠の背面側には、遊技盤前面の遊技領域より排出される遊技球（アウト球）を回収するための球回収機構が形成されており、当該球回収機構により回収された遊技球は排出シュートから遊技機外部へ排出される。そして、この遊技機が遊技ホールの島設備に設置された際には、排出シュートから排出される遊技球を受けて所定の排出部へと導く球受箱が排出シュートの下方位置に配置される。このため、証紙等が遊技盤取付枠の背面下部に直接貼着され、露出した状態となっていると、前記球受箱を設置する際に、誤って証紙等を傷つける恐れがあった。
【０００８】
さらに、遊技盤取付枠の背面側に搭載される制御機器等の中には、ハーネス等を介して外部機器と接続されるものもあるため、遊技盤取付枠の開閉等に伴いハーネス等が証紙等に触れる場合もある。ハーネス等が証紙等に繰り返し接触すると、証紙等に付された文字等が次第に擦れて判別できなくなるおそれがある。
【０００９】
本発明は、上記例示した問題点等を解決するためになされたものであり、その目的は、証紙等の保護を図るとともに、管理上の利便性を図ることのできる遊技機を提供することにある。
【課題を解決するための手段】
【００１０】
本発明の遊技機は、
固定枠に対し一側部を中心に開閉可能に支持され、遊技盤が取付けられる遊技盤取付枠と、
特定情報を有する証紙部材と、
前記遊技盤取付枠又は前記遊技盤において形成された被取付部に取付けられ、前記証紙部材が付着されたベース部材と、
透視性を有するとともに、前記被取付部に取付けられて、前記ベース部材に付着された前記証紙部材を被覆するカバー部材と、
前記ベース部材及び前記カバー部材とは別体として構成され、前記被取付部に取付けられた前記ベース部材の取外しを防止する固定手段とを備え、
前記カバー部材、前記固定手段、及び、前記被取付部が形成される前記遊技盤取付枠又は前記遊技盤のうち少なくとも１つには、所定の作業を行うことによって、前記ベース部材を前記被取付部から取外し可能となる解除作業部が形成され、
前記解除作業部は、前記被取付部が形成された前記遊技盤取付枠又は前記遊技盤の前面及び後面のうち、前記証紙部材の取付け及び取外し作業を行う面とは反対面側に設けられていることを特徴としている。
【発明の効果】
【００１１】
本発明によれば、証紙等の保護を図るとともに、管理上の利便性を図ることのできる遊技機を提供することができる。
【図面の簡単な説明】
【００１２】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】内枠及び遊技盤の構成を示す正面図である。
【図６】内枠の構成を示す背面図である。
【図７】パチンコ機の構成を示す背面図である。
【図８】電気的構成を示すブロック図である。
【図９】（ａ）は証紙プレートの後面図であり、（ｂ）は証紙プレートの前面図である。
【図１０】（ａ）は保護カバーの後面図であり、（ｂ）は保護カバーの前面図である。
【図１１】（ａ）は取付状態にある証紙貼着用ユニットの後面図であり、（ｂ）は取付状態にある証紙貼着用ユニットの前面図である。
【図１２】証紙貼着用ユニット及び内枠を後面側から見た分解斜視図である。
【図１３】証紙貼着用ユニット及び内枠を前面側から見た分解斜視図である。
【図１４】証紙貼着用ユニット及び内枠の断面図である。
【図１５】別の実施形態を示す図であって、（ａ）は内枠の後面図であり、（ｂ）は証紙プレートの後面図であり、（ｃ）は保護カバーの後面図であり、（ｄ）は取付状態にある証紙貼着用ユニットの断面図である。
【図１６】別の実施形態における固定部材等を示す図であって、（ａ）は取付状態にある証紙プレート及び固定部材を示す断面図であり、（ｂ）は固定部材の前面図であり、（ｃ）は固定部材の変形例を示す断面図である。
【図１７】別の実施形態における証紙プレート及び固定部材を示す断面図である。
【発明を実施するための形態】
【００１３】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１４】
図１乃至図４に示すように、パチンコ機１０は、当該パチンコ機１０の外郭を構成する固定枠としての外枠１１を備えており、この外枠１１の一側部に遊技盤取付枠としての内枠１２が開閉可能に支持されている。外枠１１は、例えば木製の板材により全体として矩形状に構成され、小ネジ等の離脱可能な締結具により各板材が組み付けられている。
【００１５】
内枠１２の開閉軸線は、後述するハンドル１８の設置箇所とは反対側、すなわちパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００１６】
また、内枠１２の前面側には前面扉としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。尚、前面枠セット１４は内枠１２に支持されることとしてもよいし、外枠１１に支持されることとしてもよいし、上端部及び下端部のうち一方が内枠１２に支持され、他方が外枠１１に支持されることとしてもよい。
【００１７】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１８】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００１９】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２０】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２１】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２２】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００２３】
また、上皿１９の右方には、後述する証紙Ｓ１を視認できるよう透明樹脂が取付けられた小窓１０７が設けられている。
【００２４】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００２５】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２６】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００２７】
次に、遊技盤３０の構成について図５を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２８】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００２９】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３０】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００３１】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３２】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３３】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００３４】
内レール構成部５１の先端部分（図５の左上部）には戻り球防止部材５３が取着されている。これにより、一旦、レール５０から遊技盤３０の上部へと案内された遊技球が再度レール５０内に戻ってしまうといった事態が防止される。
【００３５】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００３６】
また、遊技盤３０の右下隅部には証紙Ｓ１が貼着されている。証紙Ｓ１には、後述する証紙Ｓ３と同様に、製造番号や企業名など各種情報が記載されている。この証紙Ｓ１は、樹脂ベース２０に形成された小窓７３、及び、前面枠セット１４に形成された上記小窓１０７を介して、パチンコ機１０外部より視認することができる。
【００３７】
次に、パチンコ機１０の背面の構成を図７に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００３８】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００３９】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００４０】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。なお、パチンコ機１０が遊技ホールの島設備に設置された際には、図３に示すように、排出シュート２１８から排出される遊技球を受けて所定の排出部へと導く球受箱Ｙが排出シュート２１８の下方位置に配置される。
【００４１】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００４２】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。なお、基板ボックス２６３には証紙Ｓ２が貼着されている。この証紙Ｓ２には、後述する証紙Ｓ３と同様に、製造番号や企業名など各種情報が記載されている。
【００４３】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００４４】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００４５】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００４６】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００４７】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００４８】
次に、裏パックユニット２０３の構成を説明する。裏パックユニット２０３は、樹脂成形された裏パック３５１と遊技球の払出機構部３５２とを一体化したものである。
【００４９】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００５０】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００５１】
さらに、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００５２】
また、本実施形態では、前面枠セット１４の施錠機構は、内枠１２の施錠機構と一体的となっており、各施錠機構は、単一の施錠装置Ｇ１によって具現化されている。また、施錠装置Ｇ１は、前面枠セット１４の前面側に露出するシリンダ錠１９６（図１等参照）を備えており、該シリンダ錠１９６の鍵穴に鍵を挿入し、一方側に回動操作する（第１の解錠操作をする）ことで内枠１２を解錠することができ、他方側に回動操作する（第２の解錠操作をする）ことで前面枠セット１４を解錠することができるようになっている。
【００５３】
尚、一般に、パチンコ機１０の施錠装置Ｇ１は、内枠１２を施錠・解錠する内枠施錠部と、前面枠セット１４を施錠・解錠する扉施錠部と、シリンダ錠１９７の鍵操作と内枠施錠部及び扉施錠部とを連動させる連動部材とを備えている。従来、シリンダ錠１９６の鍵操作を行わなくても、連動部材をパチンコ機１０の裏側から直接操作して、内枠施錠部や扉施錠部を解錠状態とすることのできる（内枠１２を開放させて内枠１２の裏側から連動部材を操作して前面枠セット１４を解錠することのできる）施錠装置も存在するが、本実施形態の施錠装置Ｇ１は、鍵操作を行わない限り、シリンダ錠１９６のカムによって連動部材の動作が規制され、内枠施錠部や扉施錠部を解錠状態へと変化させることができない（例えば連動部材が動かない）構成となっている。すなわち、施錠装置Ｇ１の鍵を持っている者のみが内枠１２及び前面枠セット１４の解錠を行える構成であり、例えば、第１の解錠操作を行うことで内枠１２を解錠して開放したとしても、第２の解錠操作を行わない限り前面枠セット１４を解錠させることはできない。つまり、内枠１２の前面側（前面枠セット１４の後面側）に関しては、鍵を用いて前面枠セット１４を解錠して開放させない限り、接触を図ることができない構成となっている。
【００５４】
次に、パチンコ機１０の電気的構成について説明する。図８は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００５５】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００５６】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００５７】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００５８】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００５９】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００６０】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００６１】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００６２】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００６３】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００６４】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００６５】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００６６】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００６７】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００６８】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００６９】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７０】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００７１】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００７２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００７３】
さて、パチンコ機１０の背面側では、図７に示すように内枠１２（膨出部４０）の下部が上記各ユニット２０１〜２０３によって覆われず、露出した状態となっている。そして、本実施形態では、この部位、詳しくはパチンコ機１０の背面側から見て内枠１２（膨出部４０）の右下隅部において、証紙部材としての証紙Ｓ３が貼着された証紙貼着用ユニット４００が取付けられている。本実施形態の証紙Ｓ３（証紙Ｓ１、Ｓ２）は、所定の遊技機管理団体が発行したものであり、当該証紙Ｓ３には、特定情報として、所定の遊技機管理団体の検査を受けたことを示す情報、前記管理団体が付した管理番号等が付されている。ちなみに、証紙Ｓ３（証紙Ｓ１、Ｓ２）は、前記管理団体に対して出荷する遊技機の台数を申請することでその数だけ発行され、また、各証紙Ｓ３には管理番号としてその他の証紙Ｓ３のいずれかに記された管理番号と連続した番号が記されている。
【００７４】
なお、証紙Ｓ３には、特定情報として、上記管理番号等のほかにも、遊技機の製造番号、遊技機の機種番号、企業名、製造年度及びこれらをコード化したＱＲコードが付されている。そして、これらの特定情報を遊技機メーカーや遊技ホールで記録・管理することによって、証紙Ｓ１が取付けられた遊技盤３０、証紙Ｓ２が取付けられた主制御装置２６１、及び証紙Ｓ３が取付けられた内枠１２を具備するパチンコ機１０がどの遊技ホールに存在するのかが厳格に管理されている。尚、一般に、特定情報の管理作業は、効率の向上や納入ミスの防止を鑑み、遊技機メーカーにおいては、パチンコ機１０の製造に際して各遊技ホールに納入される予定のパチンコ機１０の特定情報が管理ソフト等に記録され、遊技ホールにおいては、パチンコ機１０の納入に先立って遊技機メーカーから特定情報が通知された時点で、納入されるパチンコ機１０の特定情報が管理ソフト等に記録される。
【００７５】
ここで、証紙貼着用ユニット４００について図９〜図１４を参照して詳しく説明する。証紙貼着用ユニット４００は、証紙Ｓ３が貼着されるベース部材としての証紙プレート４０１と、証紙プレート４０１に貼着された証紙Ｓ３を覆うカバー部材としての保護カバー４０２とを備えている。証紙プレート４０１及び保護カバー４０２は合成樹脂材料により形成されている。具体的には、証紙プレート４０１は、黒色のＡＢＳ（アクリロニトリル−ブタジエン−スチレン）樹脂により構成されている。一方、保護カバー４０２は、証紙Ｓ３を視認可能なように透視性を有する透明又は半透明のＰＣ（ポリカーボネート）樹脂により構成されている。
【００７６】
（証紙プレート４０１）
図９、図１２、図１３等に示すように、証紙プレート４０１は、平板状をなす略長方形状のプレート本体４０４を備えている。プレート本体４０４の表面（後面）は証紙Ｓ３の貼着面４０４ａとなる。
【００７７】
プレート本体４０４の上辺部及び背面視左辺部には、プレート本体４０４の周縁部に沿って後方に突出するリブ４０６が形成されている。尚、リブ４０６によって、遊技ホールの島設備の球受箱Ｙ（図３参照）やハーネスなどが保護カバー４０２に接触するのを抑制することができ、保護カバー４０２にキズや汚れ等が付くのを低減することができる。また、リブ４０６が、プレート本体４０４の背面視右辺部及び下辺部には形成されていないことによって、証紙Ｓ３の貼着作業性の向上を図ることができる。
【００７８】
また、プレート本体４０４の後面には、上辺部及び背面視左辺部に沿って形成されたリブ４０６から所定距離を隔てた位置において後方に突出する略Ｌ字状の位置決め部４０５が設けられている。貼着面４０４ａに証紙Ｓ３を貼着する際には、当該証紙Ｓ３のコーナー部を位置決め部４０５に合わせて貼着することにより、証紙Ｓ３の貼着位置を適切な位置とすることができる。
【００７９】
さらに、プレート本体４０４の背面視左端部には、プレート本体４０４の前面側において略平板状のプレート側係止片４１４が一体形成されている。プレート側係止片４１４は、プレート本体４０４の前面から前方に突出するとともに、プレート本体４０４の背面視左辺部より左方へ突出している。尚、詳しくは後述するが、プレート側係止片４１４は、後述する取付凹部３９０の挿入孔３９２に挿通され、内枠１２（膨出部４０）の前面に係止される。
【００８０】
また、プレート本体４０４のうち、プレート本体４０４の背面視左辺部に沿って形成されたリブ４０６と、位置決め部４０５との間には、前後に貫通する略矩形状の貫通孔４１６が形成されている。当該貫通孔４１６の形成部位は、プレート本体４０４とプレート側係止片４１４との重畳部位に相当し、貫通孔４１６は、プレート本体４０４の後面からプレート側係止片４１４の前面にまで貫通して形成されている。尚、貫通孔４１６には、後述する保護カバー４０２のカバー側係止片４２５が挿通され（貫通状態とされ）、プレート側係止片４１４の前面に、カバー側係止片４１５の係止爪４２６が係止される。
【００８１】
加えて、プレート本体４０４の背面視右辺部には、下辺部近傍位置においてプレート本体４０４の前面から前方に突出するとともに、プレート本体４０４の背面視右辺部より右方へ突出する係止突部４１８が一体形成されている。尚、詳しくは後述するが、係止突部４１８は、内枠１２（膨出部４０）に形成された取付凹部３９０の背面視右側に形成された開口部３９３を介して、内枠１２（膨出部４０）の前面に係止される。本実施形態では、プレート側係止片４１４及び係止突部４１８がベース側係止部に相当する。
【００８２】
（保護カバー４０２）
図１０、図１２、図１３等に示すように、保護カバー４０２は、取付状態において証紙プレート４０１の貼着面４０４ａと対向する略平板状のカバー本体４２１を備えており、当該カバー本体４２１により貼着面４０４ａのほぼ全域が被覆される。
【００８３】
また、カバー本体４２１の上辺部、両側辺部、及び下辺部には、カバー本体４２１の周縁部に沿って前方に突出形成されたリブ４２２が設けられている。また、証紙貼着用ユニット４００の取付状態においては、証紙プレート４０１のリブ４０６の内側面と、リブ４２２とが当接状態とされるとともに、プレート本体４０４の下辺部及び背面視右辺部と、カバー本体４２１の下辺部及び背面視右辺部（に沿って形成されたリブ４２２）とが一致する。
【００８４】
さらに、カバー本体４２１の背面視左辺部の略中央には、前方に突出するカバー側係止片４２５が設けられている。カバー側係止片４２５の先端部には、背面視左方（カバー本体４２１外側）に突出する係止爪４２６が形成されている。当該カバー側係止片４２５は、証紙プレート４０１の貫通孔４１６に挿通状態とされ、係止爪４２６がプレート側係止片４１４の前面に係止されている（図１１（ｂ）、図１４参照）。
【００８５】
加えて、カバー本体４２１の背面視左辺部には、カバー側係止片４２５の上方及び下方位置において、切欠き状の凹部４２７が形成されている。これは、カバー側係止片４２５を撓みやすくさせるためのものであり、これによりカバー側係止片４２５の貫通孔４１６への挿入や貫通孔４１６からの取外しが容易となる。
【００８６】
また、カバー本体４２１の背面視右辺部の略中央には、当該右辺部より右方へ延出形成された固定部４３１が設けられている。当該固定部４３１は、後述する取付凹部３９０の周縁部よりも外周側（背面視右方）に位置し、内枠１２（膨出部４０）の後面と当接状態とされている。また、固定部４３１には固定手段としての破断ねじＮを挿通するためのねじ孔４３２が形成されている。当該ねじ孔４３２の内周面には雌ねじが形成されている。
【００８７】
さらに、固定部４３１には、ねじ孔４３２よりも前面視左側（背面視右側）において前方に突出する係止部４３３が設けられている。係止部４３３の先端部には、前面視左方に突出する爪部４３４が形成されている。当該係止部４３３は、後述する切除用スリット３９７に挿通され、内枠１２（膨出部４０）の前面に爪部４３４が係止される。本実施形態では、カバー側係止片４２５及び係止部４３３がカバー側係止部に相当する。また、ねじ孔４３２を具備する固定部４３１がカバー側固定部に相当する。
【００８８】
（取付凹部３９０）
図１１〜図１３等に示すように、内枠１２（膨出部４０）の右下隅部には、前方に凸となり、証紙貼着用ユニット４００が嵌め込まれる略矩形状の取付凹部３９０が形成されている。図１４に示すように、本実施形態では、取付凹部３９０の深さは膨出部４０の肉厚程度であり、証紙貼着用ユニット４００の取付状態において、取付凹部３９０の底面（後方に臨む面）と証紙プレート４０１（プレート本体４０４）の前面とが面で当接状態とされることで、証紙プレート４０１の前面と、内枠１２（膨出部４０）の前面とが略面一となる。また、保護カバー４０２の前側（リブ４２２）は取付凹部３９０の内側に収容されるが、後側（カバー本体４２１）は取付凹部３９０よりも後方に突出している。
【００８９】
取付凹部３９０には、証紙プレート４０１のプレート側係止片４１４と対向する位置において、プレート側係止片４１４を挿入させるための挿入孔３９２が形成されている。当該挿入孔３９２は、取付凹部３９０を構成する壁部を単に前後に貫通しているだけではなく、取付凹部３９０の前方から見て右側の辺部を一部切り欠くようにして（取付凹部３９０の側壁部が形成されないようにして）前面視右方にも開口して形成されている。これにより、プレート側係止片４１４を当該挿入孔３９２に挿通させた後、証紙プレート４０１を背面視左方に変位させて、プレート側係止片４１４の先端部を内枠１２（膨出部４０）の前面に係止させることができるようになっている。
【００９０】
また、取付凹部３９０は、背面視右側の部位が開口しており、当該部位においては、取付凹部３９０を区画する壁部（底壁部、上壁部、下壁部、及び側壁部）が存在しない。このため、取付凹部３９０の取付けられた証紙プレート４０１の前面視左側の部位が当該開口部３９３を介して前方に露出した状態となり、当該露出部位を前方から押圧することで、比較的容易に証紙プレート４０１を取外すことができる。また、取付凹部３９０に取付けられた証紙プレート４０１の係止突部４１８は当該開口部３９３を介して内枠１２（膨出部４０）の前面に係止されている。
【００９１】
さらに、内枠１２（膨出部４０）には、前方から見て、取付凹部３９０の左方において、前方に突出するボス３９５が設けられている。また、ボス３９５及び内枠１２（膨出部４０）を前後に貫通するボス孔３９６が形成されている。保護カバー４０２の取付状態においては、ボス孔３９６と、固定部４３１に形成されたねじ孔４３２とが前後に連通した状態となる。さらに、ボス３９５の前面側では、ボス孔３９６の周囲がテーパ状に構成され、破断ねじＮの取付時には、破断ねじＮの頭部がボス３９５の内周側に収まり、破断ねじＮの頭部がボス３９５から突出しない構成となっている。本実施形態では、ボス３９５（ボス３９５及び内枠１２のうちボス孔３９６が形成された部位）が取付側固定部に相当する。
【００９２】
尚、破断ねじＮは、ドライバー（工具）の先端と係合する十字穴（工具係合部）が形成された部位を取り除くことのできるねじであり、螺着後、十字穴が形成された部位が取り除かれることで、ドライバーにより破断ねじＮを取外すことが不可能となる。また、取付状態にある破断ねじＮの頭部がボス３９５の内周側に位置する上、破断ねじＮとボス３９５の内周面との間にはほとんど隙間がないため、破断ねじＮの頭部をプライヤー等で挟んで回転させ、破断ねじＮを取外すといった行為を防止することができる。
【００９３】
また、内枠１２（膨出部４０）には、ボス３９５を囲むようにして、ニッパー等の工具の先端部を挿通させることのできる切除用スリット３９７（切除孔）が形成されている。そして、隣接する切除用スリット３９７間の部位（切除用スリット３９７と開口部３９３との間の部位）を破断することによってボス３９５を内枠１２（膨出部４０）から切除することができる。さらに、本実施形態では、切除用スリット３９７の後側は、保護カバー４０２の固定部４３１によって覆われている（図１１（ａ）、図１４参照）。このため、証紙貼着用ユニット４００（保護カバー４０２）の取付状態においては、切除用スリット３９７は前方にのみ露出している。尚、本実施形態では、取付凹部３９０、ボス３９５、切除用スリット３９７、及びこれらの周縁部が被取付部に相当する。また、切除用スリット３９７及び切除用スリット３９７間の部位が解除作業部（破断部）に相当する。さらに、固定部４３１のうち切除用スリット３９７を後方から覆う部位（ねじ孔４３２の周縁部）が被覆部に相当する。
【００９４】
次に、証紙貼着用ユニット４００を内枠１２（取付凹部３９０）へ取付ける手順について、メーカー出荷時における取付手順を一例に説明する。
【００９５】
先ず、証紙プレート４０１のプレート側係止片４１４を、取付凹部３９０の挿入孔３９２に対して後方から挿通させるとともに、プレート側係止片４１４の先端部を内枠１２（膨出部４０）の前面に係止させる。さらに、取付凹部３９０に対して証紙プレート４０１を、プレート本体４０４の前面と取付凹部３９０の底面とが当接するまで押込み、証紙プレート４０１の係止突部４１８を、取付凹部３９０の開口部３９３を介して内枠１２（膨出部４０）の前面に係止させる。以上のようにして、証紙プレート４０１が取付凹部３９０に取付けられる。尚、上記のように、係止突部４１８は、プレート本体４０４のうちリブ４０６の形成されていないコーナー部位に対応して形成されているため、係止突部４１８の係止に際し、プレート本体４０４が比較的スムースに弾性変形する。
【００９６】
証紙プレート４０１の取付後、証紙プレート４０１の貼着面４０４ａに証紙Ｓ３を貼着する。この際、内枠１２が青色であるのに対し、証紙プレート４０１は黒色であるので、作業者は、証紙プレート４０１の位置すなわち貼着位置を見付けやすくなり、作業性が向上する。
【００９７】
上述したように証紙Ｓ３が貼着されるとともに、上記証紙Ｓ１，Ｓ２が貼着されたパチンコ機１０は、流れ作業の中の一工程においてカメラ等の撮像手段により各証紙Ｓ１〜Ｓ３の記載内容が個々に読み取られ、出荷先等と合わせて管理ソフトに登録される。仮に、この段階で証紙プレート４０１に貼着された証紙Ｓ３が保護カバー４０２により覆われていると、光の反射等により、その記載内容を読み取りにくくなる場合もあるため、本実施形態では、保護カバー４０２の取付作業は、パチンコ機１０（内枠１２等）の登録後において行われる。
【００９８】
その後、保護カバー４０１のカバー側係止片４２５を、証紙プレート４０１の貫通孔４１６及び取付凹部３９０の挿入孔３９２に対して後方から挿通させるとともに、プレート側係止片４１４の前面に係止爪４２６を係止させる。さらに、保護カバー４０１の固定部４３１に設けられた係止部４３３を、ボス３９５の周縁部において内枠１２（膨出部４０）に形成された切除用スリット３９７に挿通させるとともに、爪部４３４を内枠１２（膨出部４０）の前面に係止させる。以上のようにして、保護カバー４０２が取付凹部３９０に取付けられる。
【００９９】
続いて、内枠１２（膨出部４０）の前面側における作業に移り、ボス３９５の前方から破断ねじＮをボス孔３９６に挿通するとともに、固定部４３１に形成されたねじ孔４３２に破断ねじＮを螺着させる。そして、破断ねじＮのうち十字穴が形成された部位を除去することで、証紙貼着用ユニット４００の取付けが完了する。
【０１００】
尚、証紙貼着用ユニット４００の取付けが完了したパチンコ機１０は包装され（シュリンクフィルムによりパッケージされ）、当該包装体の表面に出荷先が印字され、出荷先等が厳格に管理された状態で出荷される。
【０１０１】
次に、証紙貼着用ユニット４００（証紙Ｓ３が貼着された証紙プレート４０１）を取外す際の手順について説明する。
【０１０２】
先ず、内枠１２（膨出部４０）の前面側において、切除用スリット３９７に工具（ニッパー等）等の先端部を挿通し、内枠１２（膨出部４０）のうち切除用スリット３９７間の部位を工具で切断（破断）する。これにより、ボス３９５が内枠１２（膨出部４０）から切り離され、保護カバー４０２をボス３９５及び破断ねじＮごと取付凹部３９０から取外すことが可能となる。すなわち、カバー側係止片４２５を弾性変形させつつ、カバー側係止片４２５とプレート側係止片４１４との係止状態を解除することで、保護カバー４０２を取付凹部３９０から取外すことができる。ちなみに、内枠１２の後面側からでは、切除用スリット３９７が固定部４３１によって覆われているため、切除用スリット３９７間の部位を破断することは不可能である。すなわち、証紙貼着用ユニット４００の取外しに際しては、先ず前面枠セット１４を解錠して開放する必要があり、施錠装置Ｇ１の鍵を持っている者のみが証紙貼着用ユニット４００を取外すことができる。
【０１０３】
また、上記のように保護カバー４０２を取外した後、証紙プレート４０１のうち取付凹部３９０の開口部３９３から前方に臨む部位を後方に押圧し、プレート本体４０４を弾性変形させつつ、係止突部４１８と内枠１２（膨出部４０）との係止状態を解除する。それから、プレート側係止片４１４を取付凹部３９０の挿入孔３９２から抜き取ることで、証紙プレート４０１を無傷で取付凹部３９０から取外すことができる。
【０１０４】
以上詳述したように、本実施形態では、内枠１２（膨出部４０）に形成された切除用スリット３９７間の部位を破断することによって、保護カバー４０２を破断ねじＮ及びボス３９５ごと内枠１２から取外すことができ、ひいては、証紙Ｓ３が貼着された証紙プレート４０１を内枠１２から取外すことができる。さらに、破断の痕跡が形成されるのは内枠１２（膨出部４０）であるため、証紙プレート４０１及び証紙Ｓ３は無傷で取外すことができる。このため、出荷等に際して故障や破損等が発見されたパチンコ機１０に取付けられている証紙Ｓ３を取外して別のパチンコ機１０に付け替えることができる。従って、遊技ホールへの納入等に際して証紙Ｓ３が貼着された内枠１２の交換の必要が生じた場合に、別途の証紙Ｓ３を用意したり、遊技ホールに納入されるパチンコ機１０の証紙Ｓ３に付された管理番号等が変わったりしてしまうといった事態を回避することができる。結果として、証紙Ｓ３の管理番号等を用いてパチンコ機１０を管理する上での利便性の向上等を図ることができる。
【０１０５】
また、上記のように、証紙Ｓ３が貼着された証紙プレート４０１は取外し可能であるが、証紙プレート４０１を取外すためには、内枠１２に破断の痕跡を形成する必要が生じる。このため、正規のパチンコ機１０に取付けられた証紙Ｓ３を、不正に改造されたパチンコ機１０に付け替えるといった不正行為を抑止したり、早期に発見したりすることができる。
【０１０６】
さらに、証紙Ｓ３は、保護カバー４０２によって被覆されている。このため、遊技ホールの島設備の球受箱Ｙやハーネス等が証紙Ｓ３に触れ、証紙Ｓ３に記載された文字等が擦れて判別できなくなってしまうといった事態を防止することができる。
【０１０７】
また、切除用スリット３９７の存在により、証紙貼着用ユニット４００の取外しに際して、所期の位置で比較的容易にボス３９５を内枠１２から切り離す（分離させる離脱させる）ことができる。結果として、作業性の向上を図りつつ、より確実に証紙プレート４０１及び証紙Ｓ３を傷付けることなく内枠１２から取外すことができる。
【０１０８】
さらに、切除用スリット３９７の後側は、固定部４３１によって被覆されており、切除用スリット３９７（切除用スリット３９７間の部位）は、内枠１２の前面側、すなわち、保護カバー４０２が取付けられた面（証紙Ｓ３を視認できる面）とは反対面側から接触可能に構成されている。従って、保護カバー４０２を取外した上で、証紙プレート４０１を取外して入手するためには、内枠１２の前後両面側において作業を行う必要が生じるため、不正に保護カバー４０２が取外されてしまうといったおそれを抑制することができる。特に、内枠１２の前面側における作業は、前面枠セット１４を解錠して開放させる必要が生じるため、施錠装置Ｇ１の鍵がなければ保護カバー４０２を取外すことすらできず、かかる作用効果が一層確実に奏される。加えて、証紙貼着用ユニット４００（取付凹部３９０）は、内枠１２のコーナー部近傍に設けられているため、内枠１２の前後両面側において行われる保護カバー４０２の取外し作業を比較的容易に行うことができる。
【０１０９】
また、本実施形態の証紙プレート４０１は、プレート側係止片４１４及び係止突部４１８を備えており、当該証紙プレート４０１単体でも内枠１２（取付凹部３９０）に対して取付可能に構成されている。このため、保護カバー４０２や破断ねじＮが取付けられないと証紙プレート４０１の取付状態を保持することができないような構成に比べ、証紙貼着用ユニット４００の取付け及び取外しに際しての作業性の向上を図ることができる。また、保護カバー４０２の取付前の段階でも証紙プレート４０１を所期の位置に保持しておくことができるため、製造ラインにおいて、保護カバー４０２を取付ける前に行われる証紙Ｓ３の読取り作業を効率的かつ正確に行うことができ、結果的に生産性の向上を図ることができる。
【０１１０】
さらに、本実施形態の保護カバー４０２はカバー側係止片４２５及び係止部４３３を備えており、破断ねじＮを螺着させなくても、当該保護カバー４０２の内枠１２への取付状態を保持可能に構成されている。従って、破断ねじＮが取付けられるまで保護カバー４０２を押えておくといった必要がなくなり、保護カバー４０２及び破断ねじＮの取付作業性の向上を図ることができる。特に、本実施形態では、保護カバー４０２の取付作業と破断ねじＮの取付作業とが内枠１２を挟んで反対側で行われるため、かかる作用効果が一層確実に奏される。
【０１１１】
尚、カバー側係止片４２５及び係止部４３３は、内枠１２（膨出部４０）の前面に係止されており、基本的に前面枠セット１４を開放させないと、係止状態を解除することはできないが、保護カバー４０２が力任せに無理やり引っ張られるなどした場合、前記係止状態が解除され、保護カバー４０２が外れてしまうおそれがある。これに対し、本実施形態では、保護カバー４０２及び内枠１２は破断ねじＮにより連結されている。このため、カバー側係止片４２５及び係止部４３３だけで保護カバー４０２を内枠１２に固定する場合に比べ、保護カバー４０２が無理やり取外されてしまうといった事態を抑止することができる。
【０１１２】
また、本実施形態では、証紙貼着用ユニット４００の取付スペースが内枠１２の開閉軸寄りに設けられている。このため、証紙貼着用ユニット４００の取外しに際しては内枠１２や前面枠セット１４を比較的大きく開放しなければならず、従って、遊技ホールの営業中に証紙貼着用ユニット４００を不正に取外すといった行為を抑止することができる。また、膨出部４０において、球通路７１、ファール球通路７２、発射装置７０等の取付スペースを確保しやすくなる。
【０１１３】
加えて、証紙プレート４０１の周縁部に沿ってリブ４０６が設けられているため、証紙プレート４０１の取外しに際して証紙プレート４０１を落下させてしまった場合等において、証紙プレート４０１に貼着された証紙Ｓ３が損傷してしまうといった事態を抑制することができる。
【０１１４】
また、本実施形態では、内枠１２の前面側から内枠１２（膨出部４０）に形成された切除用スリット３９７や、取付凹部３９０の背面視右側に形成された開口部３９３を介して証紙貼着用ユニット４００を視認することができる。従って、前面枠セット１４を開放させることで、遊技盤３０の前面に取付けられた証紙Ｓ１の取付状態を確認することができる上、内枠１２の前面側から、内枠１２（膨出部４０）に形成されたボス３９５が切除されていないか否か（切除用スリット３９７において内枠１２が破断されていないか否か）や、取付凹部３９０の背面視右側に形成された開口部３９３を介して証紙貼着用ユニット４００が残存しているか否かを確認することで、証紙Ｓ３の取付状態を確認することができる。このため、内枠１２を開放させなくても、遊技盤３０面上の球詰まりを解消するために前面枠セット１４を開放した際に、証紙Ｓ１及び証紙Ｓ３の取付状態の確認を同時に行うこともでき、防犯性を高めることができる。
【０１１５】
なお、上述した実施形態の記載内容に限定されず、例えば次のように実施してもよい。
【０１１６】
（ａ）上記実施形態では、固定手段として一度取付けたら取外せない破断ねじＮが内枠１２の前面側から取付けられているが、内枠１２の後面側から取付けられる構成としてもよい。但し、破断作業を行うことで証紙プレート４０１を内枠１２から取外すことができるようになる部位（解除作業部）である切除用スリット３９７（切除用スリット３９７間の部位）は、上記実施形態のように、固定部４３１に後方から覆われるなどして、内枠１２の後方からでは接触不可能に構成されることとする。
【０１１７】
（ｂ）上記実施形態では、取付凹部３９０に取付けられた証紙プレート４０１を前方から押圧して後方に変位させることで取外し可能に構成されているが、証紙プレート４０１を左右方向又は上下方向にスライドさせることで取外し可能に構成してもよい。以下、態様例について、図１５を参照して説明する。
【０１１８】
図１５（ｂ）に示すように、証紙プレート８２１は、証紙Ｓ３が貼着される平板状のプレート本体８２２と、プレート本体８２２の上辺部、下辺部、背面視左辺部に沿って後方に突設されるプレートリブ８２３と、プレート本体８２２の背面視左辺部から背面視左方に突出するプレート側係止部８２４とを備えている。
【０１１９】
図１５（ｃ）に示すように、保護カバー８３１は、証紙プレート８２１に貼着された証紙Ｓ３を後方から覆う平板状のカバー本体８３２と、カバー本体８３２の周縁部から前方に突設されたカバーリブ８３３（図１５（ｄ）参照）と、カバー本体８３２の背面視右辺部に沿って設けられたカバーリブ８３３から背面視右方に突出するカバー側固定部８３４とを備えている。
【０１２０】
カバー側固定部８３４は、前後に貫通するねじ孔８３７を有する略円筒状の固定部本体８３６と、固定部本体８３６とカバー本体８３２とを連結する連結部８３８とを備えている。また、カバー側固定部８３４の後面側では、ねじ孔８３７の周囲がテーパ状に構成されており、これにより、カバー側固定部８３４の後方からねじ孔８３７に固定手段としての破断ねじＮを螺着し、破断ねじＮの十字穴形成部位を除去することで、破断ねじＮの頭部がカバー側固定部８３４の内周側に収まる構成となっている。
【０１２１】
さらに、保護カバー８３１は、カバー本体８３２の背面視左辺部に沿って設けられたカバーリブ８３３から背面視左方に突出する係止突起８３９を備えている。当該係止突起８３９は、プレート本体８２２の背面視左辺部に沿って設けられたプレートリブ８２３に形成された係止孔８２６に係止される。
【０１２２】
図１５（ａ）に示すように、内枠１２には、証紙プレート８２１の取付位置において、内枠１２の後面から後方に突出する略コ字状の取付側係止部８４１が設けられている。当該取付側係止部８４１の内周側には、背面視右方から証紙プレート８２１のプレート側係止部８２４が挿通され、当該取付側係止部８４１によってプレート側係止部８２４の後面（及び上面、下面）が係止される構成となっている。さらに、取付側係止部８４１を貫通したプレート側係止部８２４の先端部は、内枠１２の後面と当接状態とされる。また、内枠１２には、取付状態にある保護カバー８３１のカバー側固定部８３４と対向する位置において、前記ねじ孔８３７と連通する取付孔８４２が形成されている。尚、取付孔８４２には雌ねじが形成されている。加えて、内枠１２には、取付孔８４２を囲むようにして、複数の切除用スリット８４３が形成されている。当該切除用スリット８４３は、その後部がカバー側固定部８３４（固定部本体８３６）によって覆われている（図１５（ｄ）参照）。
【０１２３】
そして、証紙Ｓ３が貼着された証紙プレート８２１の係止孔８２６に保護カバー８３１の係止突起８３９を係止させて証紙プレート８２１と保護カバー８３１とを組付けるとともに、証紙プレート８２１を背面視右方から取付側係止部８４１に挿通させる。その後、内枠１２の後面側から破断ねじＮをねじ孔８３７及び取付孔８４２に挿通・螺着させ、破断ねじＮの十字穴が形成された部位を除去することで、図１５（ｄ）に示すように、証紙プレート８２１及び保護カバー８３１が内枠１２に取付けられる。
【０１２４】
また、証紙プレート８２１及び保護カバー８３１を取外す場合には、内枠１２のうち切除用スリット８４３間の部位を破断して内枠１２から取付孔８４２の周縁部を切り離し、保護カバー８３１を破断ねじＮ及び取付孔８４２周縁部ごと内枠１２から取外す。尚、証紙プレート８２１及び保護カバー８３１の取付状態において、係止突起８３９の後面と係止孔８２６との間には若干の隙間が形成されており、カバー本体８３２のうち係止突起８３９が設けられた一側部とは反対側の他側部側（背面視右側）を後方に引っ張ることで、保護カバー８３１を証紙プレート８２１から取外せる構成となっている。そして、証紙プレート８２１を背面視右方にスライドさせることで、証紙プレート８２１を内枠１２から取外すことができる。
【０１２５】
尚、上記態様例のカバー側固定部８３４を、カバー本体８３２の上辺部又は下辺部に対応して設けることとしてもよい。この場合、証紙プレート４０１を取外す際の証紙プレート４０１の軌道上にカバー側固定部８３４が位置しないようになるため、カバー側固定部８３４の連結部８３８を破断して固定部本体８３６をカバー本体８３２から切り離すことで、カバー側固定部８３４によって阻害されることなく、証紙プレート８２１を背面視右方にスライドさせて取外すことができる。もちろん当該構成を採用する場合、切除用スリット８４３は必要ない。
【０１２６】
（ｃ）上記実施形態では、固定手段として破断ねじＮが採用されているが、特に当該構成に限定されるものではない。以下、態様例について図面を参照して説明する。尚、図１６では保護カバーの図示を省略する。
【０１２７】
（ｃ−１）図１６（ａ）に示すように、証紙プレート８６１には、プレート本体８６２から証紙プレート８６１の取付方向である前方に延びる一対の延出部８６５と、各延出部８６５の略先端部から互いに離間する方向に突出する爪部８６６とを具備するプレート側係止部８６３が設けられている。また、各延出部８６５のうち爪部８６６の近傍位置には、延出部８６５の厚み方向に貫通する係止孔８６７が形成されている。尚、プレート側係止部８６３は、プレート本体８６２の外周縁よりも所定間隔を隔てて内側に設けられている。
【０１２８】
また、内枠１２には、プレート側係止部８６３が挿通される貫通孔８７１と、貫通孔８７１の周縁部から前方に突出する筒状部８７２とが設けられている。そして、貫通孔８７１及び筒状部８７２に対してプレート側係止部８６３を後方から挿通させ、プレート本体８６２と内枠１２の後面とを当接させることで、爪部８６６が筒状部８７２の前端部に係止される。これにより、証紙プレート８６１が内枠１２に取付けられる。本態様例では、プレート側係止部８６３がベース側係止部に相当し、筒状部８７２の前端部（貫通孔８７１の周縁部）がベース用被係止部に相当する。さらに、延出部８６５に形成された係止孔８６７が被係合部に相当する。
【０１２９】
また、本態様例では、証紙プレート８６１（プレート側係止部８６３）に対し、固定手段としての固定部材８８１が取付けられる。図１６（ａ）、（ｂ）に示すように、固定部材８８１は、略円盤状の本体部８８３と、本体部８８３の略中央部から本体部８８３に対して垂直に延出する一対の規制片部８８４と、各規制片部８８４の先端部から互いに離間する方向に突出する係止爪８８５とを備えている。本実施形態では、一対の規制片部８８４が、一対のプレート側係止部８６３の間に前方から挿通され、係止爪８８５が係止孔８６７に係止される。また、当該係止状態においては、プレート側係止部８６３と規制片部８８４とが当接し、プレート側係止部８６３の変形が規制片部８８４によって規制される状態となっている。さらに、当該係止状態においては、プレート側係止部８６３の先端部と固定部材８８１の本体部８８３とが略当接しており、規制片部８８４を一対のプレート側係止部８６３の間の奥側（プレート本体８６２側）に変位させることができない状態となっている。尚、係止爪８８５の後方側の面（取付方向先端側の面：図１６（ａ）では下側の面）は、規制片部８８４を押し込み易いように、固定部材８８１の取付方向に対して傾斜している。一方、係止爪８８５の前方側の面（係止孔８６７への係止面）は、固定部材８８１が証紙プレート８６１（プレート側係止部８６３）から脱落しないように、固定部材８８１の取付方向に対して直交している。
【０１３０】
また、本体部８８３には、一対の規制片部８８４を囲むようにして、複数の切除孔８８６が形成されている。尚、本態様例では、係止爪８８５が係合部に相当し、規制片部８８４が変形規制部に相当し、切除孔８８６（及び本体部８８３のうち切除孔８８６間の部位８８７）が解除作業部（破断部）に相当する。
【０１３１】
尚、図示は省略するが、保護カバーは、証紙プレート８６１や内枠１２に対して着脱可能に取付けられている。
【０１３２】
さて、証紙貼着用ユニット４００の取付けに際しては、先ず、内枠１２に形成された貫通孔８７１及び筒状部８７２に対してプレート側係止部８６３を後方から挿通し、爪部８６６を筒状部８７２に係止させる。これにより、証紙プレート８６１が内枠１２に取付けられる。次に、保護カバー４０２を取付けてから、一対のプレート側係止部８６３の間に、固定部材８８１の規制片部８８４を前方から挿入し、係止爪８８５を延出部８６５の係止孔８６７に係止させる。これにより、固定部材８８１が証紙プレート８６１に取付けられる。この状態においては、上記のように、プレート側係止部８６３の変形が規制片部８８４によって規制され、証紙プレート８６１を内枠１２から取外せない状態となっている。さらに、固定部材８８１に関しても、本体部８８３の存在により規制片部８８４を変形させることができないため、証紙プレート８６１から取外せない状態となっている。
【０１３３】
また、証紙貼着用ユニット４００を取外す場合には、固定部材８８１の本体部８８３の切除孔８８６間の部位８８７を破断し、本体部８８３から規制片部８８４を切り離す。これにより、図１６（ａ）の二点鎖線で示すように、規制片部８８４（本体部８８３のうち切除孔８８６の内周側に位置する部位、規制片部８８４、及び係止爪８８５）を、一対のプレート側係止部８６３間の奥側（プレート本体８６２側）にまで押込むことが可能となる。このように、規制片部８８４を押込むことで、一対のプレート側係止部８６３の先端部位間において固定部材８８１（規制片部８８４）が存在しなくなり、プレート側係止部８６３の先端部位を撓ませて、証紙プレート８６１を内枠１２から取外すことが可能となる。尚、証紙プレート８６１を取外した後は、一対のプレート側係止部８６３を広げるようにして弾性変形させることで、証紙プレート８６１から固定部材８８１を取外すことができる。すなわち、証紙プレート８６１を無傷で取り付け前の形態にすることができる。
【０１３４】
以上のような構成を採用する場合であっても、上記実施形態と同様の作用効果が奏される。さらに、固定部材８８１を一対のプレート側係止部８６３の間に挿通させることだけ（ワンタッチ）で固定部材８８１を証紙プレート８６１に取付けることができるため、取付作業性の向上を図ることができる。
【０１３５】
尚、上述はしなかったが、本体部８８３のうち複数の切除孔８８６によって囲まれる部位（切除孔８８６間の部位を破断した後に規制片部８８４側に残される部位）８８３ａが前方（規制片部８８４が押込まれた状態においてプレート側係止部８６３の先端部側に位置する方）に向けて縮径するテーパ状に構成されている。この場合、規制片部８８４が押込まれた状態において、プレート側係止部８６３を比較的撓ませやすくなる。また、例えば、規制片部８８４が押込まれた状態において、プレート側係止部８６３を撓ませやすくするために、図１６（ｃ）に示すように規制片部８８４を屈曲形成し、規制片部８８４の本体部８８３との連接側の部位をプレート側係止部８６３から離間させてもよい。
【０１３６】
（ｃ−２）また、例えば、上記実施形態において、ボス孔３９６又はねじ孔４３２の一方を有底状に形成するとともに、ボス孔３９６及びねじ孔４３２に対して硬化性樹脂を充填して硬化させることで形成された硬化性樹脂層を設けることにより、保護カバー４０２と内枠１２（膨出部４０）とを連結することとしてもよい。当該構成を採用する場合においても、上記実施形態と同様の作用効果が奏される。尚、ボス３９５と固定部４３１との連接部においては、一方が他方の内側に入り込んでいること（上下左右方向にボス３９５と固定部４３１とが重なり合っていること）としてもよい。この場合、連接部において硬化性樹脂層が破断されてしまうといった事態を抑止することができる。
【０１３７】
尚、硬化性樹脂とあるのは、当初液状又はペースト状をなし、充填後、硬化する性質を有する樹脂をいう。硬化性樹脂としては、（１）光硬化性樹脂…レーザ光等の光を照射することで硬化する樹脂、（２）紫外線硬化性樹脂…紫外線を照射することで硬化する樹脂、（３）その他…基板ボックス（連結手段）に悪影響を与えないものであれば、熱硬化性樹脂や熱可塑性樹脂等が挙げられる。また、「光硬化性樹脂」としては、例えば、エポキシ系、オキセタン系等が挙げられる。「紫外線硬化性樹脂」としては、硬化機構が紫外線にのみよるものに限られるものではなく、空気中の湿度による硬化、金属イオンによる嫌気性硬化、若干の加熱による硬化、硬化触媒による硬化などの複合硬化によるものであってもよい。熱硬化性樹脂としては、例えばフェノール樹脂、メラニン樹脂、ユリア樹脂等が挙げられる。熱可塑性樹脂としては、ポリエチレン、ポリプロピレン等のポリオレフィン、ポリエチレンテレフタレート等のポリエステル、ポリアミド、アクリル、ＡＢＳ等が挙げられる。
【０１３８】
（ｃ−３）また、例えば、ボス孔３９６及びねじ孔４３２に対し、金属製のピン等を取外し不可能に挿入することで、内枠１２と保護カバー４０２とを連結することとしてもよい。また、ピン等を挿入した隙間に上記硬化性樹脂層を形成することとしてもよい。加えて、破断ねじＮに代えて、取外す方向に回すことのできないワンウェイねじを採用してもよい。
【０１３９】
（ｃ−４）さらに、固定手段として、証紙プレート４０１に対して着脱可能に取付けられるものを採用してもよい。これらの構成を採用する場合、保護カバー４０２、内枠１２、及び固定手段にも傷を付けることなく、証紙プレート４０１を取外すことができる。従って、リサイクル性やリユース性の向上を図ることができる。但し、当該固定手段を採用する場合、当該固定手段は内枠１２の前面側からでないと取外せない構成とする。これにより、前面枠セット１４を解錠しない限り、固定手段による証紙プレート４０１の固定状態を解除して証紙プレート４０１を取外すことが不可能となり、証紙プレート４０１を不正入手するといった行為を抑止することができる。
【０１４０】
尚、態様例としては、普通のネジ（木ネジ等）を内枠１２の前面側から証紙プレート４０１及び保護カバー４０２に螺着したり、証紙プレート４０１及び保護カバー４０２に形成された孔部に対し、内枠１２の前面側からつまみ部を有するピンを差込んで証紙プレート４０１及び保護カバー４０２を連結し、内枠１２の前面側からつまみ部を引っ張って前記ピンを取外し可能に構成したりすることとしてもよい。尚、固定手段として普通のネジを採用する場合、十字穴やすりわりが解除作業部に相当し、上記ピンを採用する場合、つまみ部が解除作業部に相当する。
【０１４１】
また、例えば、上記（ｃ−１）の固定部材８８１を、図１７（ａ）、（ｂ）に示すように、内枠１２の前面側（図では上側）から取外し可能に構成することとしてもよい。ちなみに、図１７（ａ）の固定部材８８１は一対のプレート側係止部８６３の間に挟まっているだけであり、図１７（ｂ）の固定部材８８１は、一対のプレート側係止部８６３の間に挟まっているとともに、内枠１２の前面に対し、着脱可能な普通のネジ８９１で固定されている。尚、固定部材８８１のうち、一対のプレート側係止部８６３の間に差し込まれる部位が変形規制部に相当する。また、例えば、カバー側係止片４２５と、挿入孔３９２及び貫通孔４１６との間の隙間に、樹脂製のピンを内枠１２の後側から差込み、カバー側係止片４２５の変形を防止する構成としてもよい。
【０１４２】
（ｄ）上記実施形態では、証紙プレート４０１にプレート側係止片４１４及び係止突部４１８が設けられているが、特にこのような構成に限定されるものではなく、その他の形状の係止手段等によって証紙プレート４０１を係止してもよいし、ネジ等の固定手段を使用して証紙プレート４０１を固定してもよい。また、これらを省略し、保護カバー４０２が取付けられることで初めて証紙プレート４０１が内枠１２に対して保持可能になるよう構成してもよい。但し、保護カバー４０２を取付ける前の状態で証紙Ｓ３の読み取りなどを行う場合において証紙Ｓ３の位置ずれを防止するといった観点からすると、所定の係止手段（ベース側係止部）等を設けることが望ましい。
【０１４３】
さらに、上記実施形態では、保護カバー４０２にカバー側係止片４２５及び係止部４３３が設けられているが、特にこのような構成に限定されるものではない。また、これらを省略し、破断ねじＮが取付けられることで初めて保護カバー４０２が内枠１２に対して保持可能になるよう構成してもよい。但し、破断ねじＮの取付作業性の向上等を図るべく、所定の係止手段（カバー側係止部）等を設けることが望ましい。
【０１４４】
（ｅ）上記実施形態では、内枠１２に取付けられる証紙Ｓ３について証紙貼着用ユニット４００が適用されているが、これに代えて又は加えて、遊技盤３０に取付けられる証紙Ｓ１や主制御装置２６１に取付けられる証紙Ｓ２に対応して証紙貼着用ユニット４００を適用してもよい。
【０１４５】
また、証紙貼着用ユニット４００の取付位置も、上記実施形態のように内枠１２の開閉軸側に限られるものではなく、例えば内枠１２の開閉軸側とは反対側であってもよい。
【０１４６】
さらに、上記実施形態では、内枠１２（膨出部４０）に取付凹部３９０が形成され、取付凹部３９０に対し、証紙貼着用ユニット４００が取付けられているが、特にこのような構成に限定されるものではない。例えば、取付凹部３９０を省略するとともに、内枠１２（膨出部４０）に対し、プレート側係止片４１４、係止突部４１８、カバー側係止片４２５、及び係止部４３３とそれぞれ係止状態とされる係止手段を設けることとしてもよい。また、取付凹部３９０の周縁部（膨出部４０の後面）よりも証紙貼着用ユニット４００全体、或いは固定部４３１を除く部位が奥まった位置（前方）に配置されることとしてもよい。この場合、証紙貼着用ユニット４００に傷や汚れがつきにくくなるとともに、パチンコ機１０を構成する他の部材の取付けの妨げになるおそれも低減される。
【０１４７】
（ｆ）上記実施形態では、証紙部材として、紙製の証紙（証紙シール）Ｓ３等を採用しているが、例えば、貼着できない（シール部材でない）樹脂製のフィルム部材やＩＣチップ等を採用し、係止爪等によって証紙プレート４０１に係止したり、ねじ等によって証紙プレート４０１に固定したり、接着剤等により証紙プレート４０１に貼着したりすることとしてもよい。加えて、証紙プレート４０１に付着された証紙Ｓ３を証紙プレート４０１から取外した場合、証紙プレート４０１及び証紙Ｓ３の少なくとも一方に所定の痕跡が形成されることとしてもよい。ちなみに、上記実施形態の証紙Ｓ３を剥がそうとした場合、証紙Ｓ３が破れたり、証紙Ｓ３に無数の皺が発生して証紙Ｓ３に記された特定情報が読み取り難くなったりする。
【０１４８】
（ｇ）証紙貼着用ユニット４００の取付手順は上記実施形態の手順に限定されるものではない。例えば、予め証紙プレート４０１に証紙Ｓ３を貼着した状態で当該証紙プレート４０１を取付凹部３９０に取付ける構成としてもよい。また、例えば、ボス３９５を内枠１２から切り離した後、証紙プレート４０１及び保護カバー４０２を同時に取外し可能に構成してもよいし、保護カバー４０２、証紙プレート４０１の順に取外し可能に構成してもよい。
【０１４９】
（ｈ）証紙プレート４０１及び保護カバー４０２の材質や色等は上記実施形態に限定されるものではない。例えば、証紙プレート４０１を内枠１２と同色のものとしてもよい。
【０１５０】
（ｉ）上記実施形態では、内枠１２の前面側に、閉鎖状態においては内枠１２の前面側ほぼ全域を覆う前面枠セット１４が開閉可能に取付けられている。これに限らず、例えば、内枠１２の前面側かつ遊技盤３０を覆う第１扉体と、内枠１２の前面側かつ遊技盤３０より下方位置を覆う開閉部材としての第２扉体とを個別に備えた構成としてもよい。ちなみに、第２扉体（下枠セット）には、一般に下皿１５やハンドル１８が取付けられており、前面枠セット１４を解錠して開放させることで、当該第２扉体を開放させることができるように構成されている（前面枠セット１４の閉鎖時においては、第２扉体の解錠操作部が前面枠セット１４によって覆われている）。
【０１５１】
また、上記実施形態では、１つの鍵を用いて内枠１２及び前面枠セット１４を解錠・開放させることができる構成となっているが、内枠１２及び前面枠セット１４にそれぞれ個別に対応する鍵（施錠装置）を設け、前面枠セット１４を解錠するためには、内枠１２を解錠するための鍵とは別の鍵を用いて解錠させることとしてもよい。この場合、防犯性を向上させることができる。また、上記実施形態においては、例えば、前面枠セット１４を開放させることで、遊技盤３０の前面に取付けられた証紙Ｓ１の取付状態を確認することができる上、内枠１２の前面側から、内枠１２（膨出部４０）に形成されたボス３９５が切除されていないか否か（切除用スリット３９７において内枠１２が破断されていないか否か）や、取付凹部３９０の背面視右側に形成された開口部３９３を介して証紙貼着用ユニット４００が残存しているか否かを確認することで、証紙Ｓ３の取付状態を確認することができる。このため、内枠１２を開放させなくても、遊技盤３０面上の球詰まりを解消するために前面枠セット１４を開放した際に、証紙Ｓ１及び証紙Ｓ３の取付状態の確認を同時に行うこともでき、防犯性を高める（早期発見する）ことができる。
【０１５２】
（ｊ）上記実施形態とは異なるタイプのパチンコ機として実施してもよい。また、パチンコ機以外にも、アレンジボール機、それに類する雀球等の各種遊技機として実施することも可能である。
【０１５３】
［付記］
上記実施形態から把握できる技術的思想について、以下に記載する。
【０１５４】
手段１．固定枠に対し一側部を中心に開閉可能に支持され、遊技盤が取付けられる遊技盤取付枠と、
特定情報を有する証紙部材と、
前記遊技盤取付枠又は前記遊技盤において形成された被取付部に取付けられ、前記証紙部材が付着されたベース部材と、
透視性を有するとともに、前記被取付部に取付けられて、前記ベース部材に付着された前記証紙部材を被覆するカバー部材と、
前記ベース部材及び前記カバー部材とは別体として構成され、前記被取付部に取付けられた前記ベース部材の取外しを防止する固定手段とを備え、
前記カバー部材、前記固定手段、及び、前記被取付部が形成される前記遊技盤取付枠又は前記遊技盤のうち少なくとも１つには、所定の作業を行うことによって、前記ベース部材を前記被取付部から取外し可能となる解除作業部が形成され、
前記解除作業部は、前記被取付部が形成された前記遊技盤取付枠又は前記遊技盤の前面及び後面のうち、前記証紙部材を取付ける作業（前記証紙部材の取付け及び取外しを行う作業）を行う面とは反対面側に設けられていることを特徴とする遊技機。
【０１５５】
手段１によれば、カバー部材、被取付部、及び固定手段のうち少なくとも１つに形成された解除作業部に対して所定の作業を行うことによって、証紙部材が付着されたベース部材を被取付部（遊技盤取付枠又は遊技盤）から取外すことができる。さらに、例えば、解除作業部に対する所定の作業に際し、当該解除作業部に対して所定の痕跡が形成されるような構成であっても、解除作業部は、カバー部材、被取付部、及び固定手段のうち少なくとも１つに設けられているため、ベース部材及び証紙部材は無傷で取外すことができる。このため、出荷等に際して故障や破損等が発見された遊技機に取付けられている証紙部材を取外して別の遊技機に付け替えることができる。従って、遊技ホールへの納入等に際して証紙が貼着された部材の交換の必要が生じた場合に、別途の証紙部材を用意したり、遊技ホールに納入される遊技機の証紙部材に付された特定情報（管理番号等）が変わったりしてしまうといった事態を回避することができる。結果として、証紙部材の特定情報を用いて遊技機を管理する上での利便性の向上等を図ることができる。
【０１５６】
また、上記のように、証紙部材が付着されたベース部材は取外し可能であるが、ベース部材を取外すためには、解除作業部に対する所定の作業を、被取付部（遊技盤取付枠又は遊技盤）のうち証紙部材を取付ける作業を行う面とは反対面側（被取付部を挟んで証紙部材の反対側）において行う必要が生じる。すなわち、ベース部材を取外して入手するためには、遊技盤取付枠又は遊技盤の前後両面側において作業を行う（前面及び後面のうち一方側において解除作業部の解錠作業を行い、他方側において証紙部材を取外す）必要が生じる。特に、遊技機が遊技ホールの島設備に設置された状態においては、遊技盤取付枠を開放させる必要が生じる。従って、不正にカバー部材が取外されてしまうといったおそれを抑制することができ、正規の遊技機に取付けられた証紙部材を、不正に改造された遊技機に付け替えるといった不正行為を抑止することができる。
【０１５７】
さらに、証紙部材は、カバー部材によって被覆されているため、誤って証紙部材を傷つけてしまうといった不具合を低減することができる。
【０１５８】
加えて、ベース部材又はカバー部材の取外しを防止する固定手段は、ベース部材及びカバー部材とは別体として構成されている。このため、例えば、ベース部材又はカバー部材と一体的に構成された係止手段によって固定手段を構成する場合に比べ、ベース部材又はカバー部材が力任せに無理やり取外されてしまうといった事態を抑止できる構成とすることができる。
【０１５９】
尚、「証紙部材」には各種遊技機管理団体が発行する証紙部材が含まれる。また、この「証紙部材」には、紙製のいわゆる「証紙」のみならず、例えば樹脂製のフィルム部材やシート部材なども含まれる。さらに、「特定情報」には、前記管理団体の検査を受けたことを示す情報、前記管理団体が付した管理番号、企業名、遊技機の機種番号や製造番号、製造年度、これらをコード化したＱＲコード（登録商標）等のコード情報などが含まれる。また、上記「特定情報を有する」ことには、証紙部材に対し文字や数字等により特定情報が記載されることはもちろんのこと、所定の読取り手段により読み取ることのできるコード情報として特定情報が付されること（登録、記憶）などが含まれる。さらに、上記「付着」には、「貼着」や「接着」などは勿論のこと、係止爪等による「係止」や、ねじ等による「固定」なども含まれる。尚、カバー部材は、被取付部に対して直接取付けられていてもよいし、ベース部材を介して間接的に取付けられていてもよい。加えて、証紙部材（被取付部）は、遊技盤取付枠又は遊技盤のコーナー部近傍に設けられることとしてもよい。この場合、被取付部の表裏両面側において行われる取外し作業を比較的容易に行うことができる。
【０１６０】
尚、固定手段は、ベース部材に直接当接して（直接固定して）ベース部材の取外しを防止する構成であってもよいし、カバー部材等に当接し、当該カバー部材等を介して間接的にベース部材の取外しを防止する構成であってもよい。例えば、前記カバー部材を前記被取付部に固定する固定手段を備え、前記カバー部材を前記被取付部から取外すことで前記ベース部材を前記被取付部から取外し可能となる構成であって、前記カバー部材、又は、前記被取付部が形成される前記遊技盤取付枠又は前記遊技盤には、破損させることによって、前記カバー部材を前記被取付部から取外し可能となる解除作業部が形成されていることとしてもよい。
【０１６１】
また、「前記解除作業部は、前記被取付部が形成された前記遊技盤取付枠又は前記遊技盤の前面及び後面のうち、前記証紙部材を取外す方向（取外し方向に臨む面）とは反対側の面から接触可能であること」としてもよい。加えて、「取付ける」とあるのは、ネジ止め、接着・溶接などの固定、爪部による係合等が含まれる。
【０１６２】
手段２．前記遊技盤取付枠の前面側において前記固定枠又は前記遊技盤取付枠に開閉可能に支持され、閉鎖状態において前記遊技盤取付枠の略全域を覆う前面扉と、
前記遊技盤取付枠及び前記前面扉の施錠及び解錠を行う施錠装置とを備え、
前記施錠装置に対し（専用の解錠手段を用いて）第１の解錠操作を行うことによって（のみ）、前記遊技盤取付枠を解錠することができ、
前記施錠装置に対し（専用の解錠手段を用いて）第２の解錠操作を行うことによってのみ、前記前面扉を解錠することができ、前記遊技盤取付枠の前面及び前記遊技盤の後面への接触が許容されることを特徴とする手段１に記載の遊技機。
【０１６３】
手段２によれば、遊技盤取付枠や前面扉を解錠して開放させるためには、遊技盤取付枠及び前面扉にそれぞれ対応した施錠装置の解錠操作を行う必要がある。特に、遊技盤取付枠の前面側（前面扉の後面側）に関しては、前面扉を開放させた場合にのみ接触を図ることができる。このため、前面扉と遊技盤取付枠との間に証紙部材や解錠操作部が存在する場合、ベース部材を被取付部から取外して入手するためには、第２の解錠操作が必至である。従って、証紙部材の取外しを可能にしつつ、不正行為を低減できるといった上記手段１の作用効果が一層確実に奏される。
【０１６４】
尚、「第２の解錠操作を行うことによってのみ、前記前面扉を解錠することができる」構成としては、専用の鍵や解錠装置を使用することによってのみ前面扉を解錠することができ、遊技機（遊技盤取付枠）の後面側から手作業で前面扉を解錠させることができない構成が挙げられる。尚、専用の解錠装置としては、例えば、遊技機（遊技盤取付枠）の後面側からでは接触不可能な位置において電気的に作動し、施錠装置を連動させて前面扉を解錠させることのできる解錠機構を作動させるための専用のリモートコントローラ等が挙げられる。
【０１６５】
尚、証紙部材は、製造工場などにおいて確認しやすいように、遊技盤取付枠の後面側に（遊技盤取付枠を後方から見たときに視認可能に）設けられるとともに、前面扉を開放することで、解除作業部を視認可能（接触可能）に構成されていることとしてもよい。この場合、前面扉を開放した際に、証紙部材の取付状態についても確認することができ、防犯性の向上（証紙部材が取外されたことの早期発見）を図ることができる。また、前記遊技盤取付枠の略全域を覆う前面扉は、１つの扉部材により構成されてもよいし、複数の扉部材により構成されてもよい。
【０１６６】
手段３．前記カバー部材、前記固定手段、及び、前記被取付部が形成される前記遊技盤取付枠又は前記遊技盤のうち少なくとも１つには、破損させることによって、前記ベース部材を前記被取付部から取外し可能となる前記解除作業部が形成されていることを特徴とする手段１又は２に記載の遊技機。
【０１６７】
手段３によれば、カバー部材、固定手段、及び、被取付部が形成される遊技盤取付枠又は遊技盤のうち少なくとも１つに形成された解除作業部を破損させることによって、証紙部材が付着されたベース部材を被取付部（遊技盤取付枠又は遊技盤）から取外すことができる。もちろん、破損の痕跡が形成されるのは、カバー部材、被取付部、及び固定手段のうち少なくとも１つであるため、ベース部材及び証紙部材は無傷で取外すことができる。結果として、上記手段１の作用効果が確実に奏される。また、証紙部材を取外した場合に、カバー部材、固定手段、及び、被取付部が形成される遊技盤取付枠又は遊技盤のうち少なくとも１つに破損の痕跡が形成されるため、正規の遊技機に取付けられた証紙部材を、不正に改造された遊技機に付け替えるといった不正行為を抑止するといった作用効果が一層奏されるとともに、かかる不正行為が行われた場合には早期に発見することができる。
【０１６８】
加えて、解除作業部の存在により、所期の位置で比較的容易に前記破損作業を行うことができる。結果として、作業性の向上を図りつつ、より確実にベース部材及び証紙部材を傷付けることなく被取付部から取外すことができる。
【０１６９】
尚、「破損させる」とあるのは、変形（塑性変形）させたり、破断されたりすることを意味しており、ベース部材を取外し可能とする際には、解除作業部において、所定の痕跡が形成される。ちなみに、解除作業部を「変形」させてベース部材を取外した場合、解除作業部が変色したり一部破断（僅かに切れ目が生じる）されたり塑性変形したりして元の外観に戻らない（所定の痕跡が形成される）構成が挙げられる。また、破断することによって、前記ベース部材を前記被取付部から取外し可能となる破断部を解除作業部とした場合、当該破断部は、工具（ニッパー、カッター等）を用いて切断したり、手で折り取ったりすることができるように、前記カバー部材、前記固定手段、及び、前記被取付部が形成される前記遊技盤取付枠又は前記遊技盤のいずれかに予め形成される部位であることとしてもよい。さらに、この場合、例えば、破断部は、その他の部位よりも薄肉であることとしてもよい。
【０１７０】
手段４．前記カバー部材を前記被取付部が形成された前記遊技盤取付枠又は前記遊技盤から取外すことで前記ベース部材を前記被取付部から取外し可能となる構成であって、
前記カバー部材は前記固定手段に固定されるカバー側固定部を備え、
前記被取付部は前記固定手段が固定される取付側固定部を備え、
前記取付側固定部が形成される前記遊技盤取付枠又は前記遊技盤には、破損させることによって、前記取付側固定部を前記被取付部が形成される前記遊技盤取付枠又は前記遊技盤から離脱させることのできる前記解除作業部が形成され、
前記カバー部材は、前記被取付部が形成された前記遊技盤取付枠又は前記遊技盤の前面及び後面のうち前記証紙部材を取付ける作業を行う（証紙部材の取付け及び取外しの作業を行う）面側から、前記取付側固定部に形成された前記解除作業部を覆う被覆部を備え、
前記解除作業部を破損させ、前記取付側固定部を前記被取付部が形成された前記遊技盤取付枠又は前記遊技盤から離脱させることで、前記固定手段による前記カバー部材の固定状態が解除され、前記カバー部材を前記遊技盤取付枠又は前記遊技盤から取外し可能となることを特徴とする手段３に記載の遊技機。
【０１７１】
手段４によれば、カバー固定部をカバー部材から離脱させたり、取付側固定部を遊技盤取付枠又は遊技盤（被取付部）から離脱させたりすることで、カバー部材を遊技盤取付枠又は遊技盤から取外し、証紙部材が付着されたベース部材を無傷で取外すことができる。従って、上記手段１と同様の作用効果が奏される。尚、固定手段によるカバー部材の固定状態が解除された場合、カバー部材及びベース部材を順番に取外し可能としてもよいし、カバー部材及びベース部材を同時に取外せる構成であってもよい。尚、カバー部材は固定手段によって被取付部に対して取外し不可能に固定されていることとしてもよい。
【０１７２】
手段５．前記固定手段は前記解除作業部を備え、
前記固定手段は、前記ベース部材に対して着脱可能に設けられ、
前記解除作業部は、前記遊技盤固定枠と前記前面扉との間に配置されていることを特徴とする手段２に記載の遊技機。
【０１７３】
手段５によれば、カバー部材、被取付部、及び固定手段にも傷を付けることなく、ベース部材を取外すことができる。従って、リサイクル性やリユース性の向上を図ることができる。また、解除作業部は遊技盤固定枠と前面扉との間に配置されているため、解除作業部を操作するためには前面扉を開放させる必要がある。従って、着脱可能な固定手段を採用した場合においても、証紙部材の不正な取り外しを防止するといった作用効果が確実に奏される。尚、当該手段５の固定手段としては、普通のねじやピン等が挙げられる。
【０１７４】
手段６．前記ベース部材は、前記被取付部に設けられたベース用被係止部と係止状態とされるベース側係止部を備え、当該ベース部材単体で前記被取付部に取付可能に構成されていることを特徴とする手段１乃至５のいずれかに記載の遊技機。
【０１７５】
手段６によれば、ベース部材のみを被取付部に取付けた状態（カバー部材や固定手段を取付けていない状態）においても、ベース部材を所期の位置で確実に保持しておくことができる。従って、ベース部材、カバー部材、及び固定手段の取付作業性の向上を図ることができる。また、製造ラインにおいて、カバー部材を取付ける前の段階で、ベース部材に付着された証紙部材の読取りを行うことができ、カバー部材表面の光の反射等によって証紙部材に付された特定情報の読み取りが困難となることもなく、読取り作業の効率を向上させることができる。その上、ベース部材の位置ずれによって特定情報の読み取りが困難となることもなく、読み取りをより正確に行うことができる。さらに、例えば、カバー部材を取外した際に、ベース部材が被取付部から落下してしまうといった事態を防止することができる。従って、カバー部材及びベース部材（証紙部材）を取外す際の作業性の向上が図られる上、ベース部材が落下して証紙部材が損傷してしまうといった事態を防止することができる。
【０１７６】
手段７．前記ベース部材は、前記被取付部に設けられたベース用被係止部と係止状態とされるベース側係止部を備え、
前記固定手段は、前記ベース部材に設けられた被係合部と係合状態とされる係合部と、前記係合部と前記被係合部との係合状態において前記ベース側係止部の変形を防止する変形規制部と、前記解除作業部とを備え、
前記解除作業部を破損させることで、前記ベース側係止部の変形が許容される位置まで前記変形規制部を変位させることが可能となることを特徴とする手段３に記載の遊技機。
【０１７７】
手段７によれば、ベース部材は、被取付部に設けられたベース用被係止部と係止状態とされるベース側係止部を備えている。このため、上記手段６と同様の作用効果が奏される。また、本手段７によれば、取付状態にあるベース部材に対して、固定手段を取付けると解除作業部を破損させない限り、ベース部材を取外すことができない構成となっている。このため、上記手段３の作用効果が確実に奏される。
【０１７８】
手段８．前記カバー部材は、前記被取付部に設けられたカバー用被係止部と係止状態とされるカバー側係止部を備え、前記固定手段によって固定状態とされなくても、当該カバー部材の前記被取付部への取付状態を保持可能に構成されていることを特徴とする手段１乃至７のいずれかに記載の遊技機。
【０１７９】
手段８によれば、固定手段を取付けていない状態においても、カバー部材を所期の位置で確実に保持しておくことができる。従って、固定手段が取付けられるまでカバー部材を押えておくといった必要がなくなり、カバー部材、及び固定手段の取付作業性の向上を図ることができる。特に、カバー部材の取付作業と固定手段の取付作業とが被取付部を挟んで反対側で行われる構成においては、かかる作用効果が一層確実に奏される。
【０１８０】
以下に、上記各手段が適用される各種遊技機の基本構成を示す。
【０１８１】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１８２】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１８３】
Ｃ．上記各手段における前記遊技機、又は、上記各弾球遊技機は、パチンコ機又はパチンコ機に準ずる遊技機であること。
【符号の説明】
【０１８４】
１０…パチンコ機、１１…外枠、１２…内枠、１４…前面枠セット、３０…遊技盤、４０…膨出部、１９７…シリンダ錠、３９０…取付凹部、３９５…ボス、３９７…切除用スリット、４００…証紙貼着用ユニット、４０１…証紙プレート、４０２…保護カバー、４１４…プレート側係止片、４１８…係止突部、４２５…カバー側係止片、４３１…固定部、４３３…係止部、Ｇ１…施錠装置、Ｎ…破断ねじ、Ｓ３…証紙。
【図１】
2010240027.tif 000003
【図２】
2010240027.tif 000004
【図３】
2010240027.tif 000005
【図４】
2010240027.tif 000006
【図５】
2010240027.tif 000007
【図６】
2010240027.tif 000008
【図７】
2010240027.tif 000009
【図８】
2010240027.tif 000010
【図９】
2010240027.tif 000011
【図１０】
2010240027.tif 000012
【図１１】
2010240027.tif 000013
【図１２】
2010240027.tif 000014
【図１３】
2010240027.tif 000015
【図１４】
2010240027.tif 000016
【図１５】
2010240027.tif 000017
【図１６】
2010240027.tif 000018
【図１７】
2010240027.tif 000019